(57)【要約】      （修正有）【課題】収納部の内面にあらわれたカバーによって引っ掛かることなく工具類を出し入れできる携帯用収納具を提供する。【解決手段】前面部材７や左右側面部材８の上部開口９側を外側に折り返して折り返し面部１４を形成し、折り返し面部１４の折り返し縁１５の外側に、カバー１２の上端１６を配置する。折り返し面部１４の外側に沿って折り返し面部１４の端１７よりも離れてカバー１２の下端１８を配置する。収納部２の内面１１にカバー１２の端があらわれず、カバー１２の上端１６は折り返し縁１５の外側にあらわれるようになり、内面１１に添って工具Ａや部品を掬い上げる際に、引っ掛かりがなくなる。【選択図】図１
0003157825.tif 000002
【実用新案登録請求の範囲】
【請求項１】
収納部材の開口縁に沿って該開口縁を保護するカバーを固定した携帯用収納具において、前記収納部材の開口側を外側に折り返して折り返し面部を形成し、前記折り返し面部の折り返し縁の外側に、前記カバーの一方の端を配置し、前記折り返し面部の外側に沿って前記折り返し面部の端よりも離れて前記カバーの他方の端を前記収納部材に配置したことを特徴とする携帯用収納具。
【請求項２】
前記開口縁が上部開口の上部開口縁であり、前記一方の端が上端であり、前記他方の端が下端であることを特徴とする請求項１記載の携帯用収納具。
【請求項３】
前記収納部材は、内面の第一の摩擦係数を外面の第二の摩擦係数よりも小さいことを特徴とする請求項１記載の携帯用収納具。
【請求項４】
前記収納部材は膨らむ袋状であり、該収納部材に腰ベルト用通し部を設けたことを特徴とする請求項２または３記載の携帯用収納具。
【請求項５】
前記折り返し縁と前記一方の端とを第一の縫着部により固定し、前記収納部材における前記開口縁から離間した部位と前記他方の端とを第二の縫着部により固定したことを特徴とする請求項４記載の携帯用収納具。
【請求項６】
前記収納部材は、工具、部品類用であることを特徴とする請求項５記載の携帯用収納具。
【考案の詳細な説明】
【技術分野】
【０００１】
本考案は、工具、部品類などを腰などに吊り下げたり、持ち運ぶための携帯用収納具に関するものである。
【背景技術】
【０００２】
従来、ツールホルダなどと称する工具類の携帯用収納具41は、ベルトなどに吊り下げる装着部42が形成され、その前面部材側に袋状の収納部材43が設けられると共に、さらにその前面部材に小容量の袋状の収納部材44が取りつけられている。そして、従来の収納部材43，44は繊維からなる布製である場合には、その布の切り口が外に露出することを避けるため、また開口縁の強度を高めるために、上縁を覆うように断面が逆Ｕ字状となる布製のカバー45，46を縫着して一体化していた。（例えば、特許文献１）。
【先行技術文献】
【特許文献】
【０００３】
【特許文献１】実用新案登録第３０９２２８０号公報
【考案の概要】
【考案が解決しようとする課題】
【０００４】
しかし、従来技術のようにカバー45，46が逆Ｕ字状である場合には、カバー45，46の内側縁45Ａ，46Ａが、その厚みに起因して収納部材43，44に段状になってあらわれ、この結果、収納部材43，44から工具や部品を取り出すときに、前記段部に引っ掛かりが生じ、取り出しにくいという問題があった。
【０００５】
解決しようとする問題点は、開口部を保護するために開口部のカバーを設け、収納部への例えば工具や部品などを内面にあらわれたカバーによって引っ掛かることなく出し入れすることができる携帯用収納具を提供する。
【課題を解決するための手段】
【０００６】
請求項１の考案は、収納部材の開口縁に沿って該開口縁を保護するカバーを固定した携帯用収納具において、前記開口縁を外側に折り返して折り返し面部を形成し、前記折り返し面部の折り返し縁の外側に、前記カバーの一方の端を配置し、前記折り返し面部の外側に沿って前記折り返し面部の端よりも離れて前記カバーの他方の端を前記収納部材に配置したことを特徴とする携帯用収納具である。
【０００７】
請求項２の考案は、前記開口縁が上部開口の上部開口縁であり、前記一方の端が上端であり、前記他方の端が下端であることを特徴とする請求項１記載の携帯用収納具である。
【０００８】
請求項３の考案においては、記収納部材は、内面の第一の摩擦係数を外面の第二の摩擦係数よりも小さいことを特徴とする請求項１記載の携帯用収納具である。
【０００９】
請求項４の考案においては、前記収納部材は膨らむ袋状であり、該収納部材に腰ベルト用通し部を設けたことを特徴とする請求項２または３記載の携帯用収納具である。
【００１０】
請求項５の考案は、前記折り返し縁と前記一方の端とを第一の縫着部により固定し、前記収納部における前記開口縁から離間した部位と前記他方の端とを第二の縫着部により固定したことを特徴とする請求項３記載の携帯用収納具である。
【００１１】
請求項６の考案は、前記収納部材は、工具、部品類用であることを特徴とする請求項５記載の携帯用収納具である。
【考案の効果】
【００１２】
請求項１の考案によれば、収納部の内面にカバーがあらわれないので、例えば工具や部品などを内面に沿って取り出す際、カバーによって引っ掛かりはなくスムースに取り出したり、或いは収納することができる。
【００１３】
請求項２の考案によれば、上部開口からの例えば工具や部品の取り出しにあって、工具や部品などを内面に沿って取り出す際、
請求項３の考案によれば、内面は相対的に外面より滑りやすくなり例えば工具、部品類を内面に沿っていっそう出し入れしやすくなる。
【００１４】
請求項４の考案によれば、例えば工具、部品類を収納すると膨らむようになり、さらに腰ベルトに吊り下げて携帯することができる。
【００１５】
請求項５の考案によれば、カバーを第一及び第二の縫着部によって確実に固定することができる。
【００１６】
請求項６の考案によれば、工具、部品を収納することができる。
【図面の簡単な説明】
【００１７】
【図１】本考案の第１実施例を示す斜視図である。
【図２】同要部の拡大断面図である。
【図３】本考案の第２実施例を示す斜視図である。
【図４】同要部の拡大断面図である。
【図５】従来技術の断面図である。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
実施例１を示す図１〜図２に示す工具類の携帯用収納具１は、工具Ａや部品（図示せず）などを収納する第一の収納部２と、この第一の収納部２を腰ベルトＢなどに吊り下げるための装着部３とが一体に設けられており、装着部３には第一の収納部２の後側上部に腰ベルトＢを通す通し部４が横向きに設けられている。第一の収納部２は、工具Ａや部品を収納することで外側に膨らむような袋状であって、収納部材である底面部材５と後面部材６と前面部材７と左右側面部材８を有して上部開口９を有する。底面部材５と前面部材７と左右側面部材８は、外面10はポリエステルなどの合成繊維の布によって形成されており、一方内面11は繊維ではなく合成皮革などの合成樹脂シート（合成樹脂フィルム状のものを含む）によって形成された複数層、実施例では２層に形成されており、内面11の第一の摩擦係数（μ１）を外面10の第二の摩擦係数（μ２）よりも小さく形成している（μ１＜μ２）。また、後面部材６は、例えばポリエステルなどの合成繊維の布によって形成され、そのまま外面及び内面にあらわれている。
【００２０】
前記上部開口９に該上部開口９を保護するための、布製又は皮製のカバー12が設けられる。実施例では例えばポリエステルなどの合成繊維の布からなるカバー12が設けられる。このカバー12の取り付けは、前面部材７と左右側面部材８の直状な一点鎖線で示した端13を外側に折り返して折り返し面部14を形成し、折り返し面部14の頂に形成される折り返し縁15の外側に、カバー12の一方の端である上端16を配置し、折り返し面部14の外側に沿って折り返し面部14の端17よりも離れてカバー12の他方の端である下端18を、前面部材７と左右側面部材８に配置したものである。そして、このカバー12は折り返し面部14の外側に固定されている。この固定は、貼り付けや縫着によってカバー12を折り返し面部14側に一体に設けるものであって、実施例では折り返し縁15側と上端16側とを第一の縫着部19により固定し、前面部材７と左右側面部材８における折り返し縁15から離間した部位と下端18とを第二の縫着部20により固定している。
【００２１】
前記第一の収納部２を形成する前面部材７と左右側面部材８の前方、左右側方に第二の収納部21を形成する。この第二の収納部21にあっても第一の収納部２と同様にその上部開口22の外側にカバー23が設けられている。
【００２２】
次に前記構成についてその作用を説明する。第一の収納部２や第二の収納部21の上部開口９，22はカバー12，23により補強、保護されており、携帯用収納具１の体への装着は腰ベルトＢを通し部４に通して腰まわりに吊り下げた状態で、第一の収納部２や第二の収納部21に工具Ａや部品を収納する。
【００２３】
第一の収納部２や第二の収納部21より工具Ａや部品を取り出すときには、上部開口９，22から手を入れた後に、前面部材７や左右側面部材８の内面11に、矢印Ｚのように沿わせるように取り出す。この際、工具Ａや部品は内面11において底面部材５側から前面部材７、左右側面部材８に沿って第一の縫着部19、第二の縫着部20を乗り越えて上部開口９に至り、この上部開口９から上方へ取り出すことができる。
【００２４】
以上のように、前記実施例では請求項１に対応して、工具Ａ、部品類を収納する布製又は皮製の第一の収納部２、第二の収納部21の上部開口９に沿ってその縁を保護する布製又は皮製のカバー12，23を固定し、前面部材７と左右側面部材８の上部開口９側を外側に折り返して折り返し面部14を形成し、折り返し面部14の折り返し縁15の外側に、カバー12，23の上端16など一方の端を配置し、折り返し面部14の外側に沿って折り返し面部14の端17よりも離れてカバー12，23の下端18など他方の端を第一の収納部２、第二の収納部21に配置したことにより、従来技術のように収納部の内面にカバーの端があらわれず、カバー12，23の上端16など一方の端は折り返し縁15の外側にあらわれるようになり、内面11に沿って工具Ａや部品を掬い上げる際に、引っ掛かりがなく、カバー12，23によって邪魔されることなく確実に掬い上げることができる。また、カバー12，23により上部開口９，22を保護できると共に、カバー12，23の折り返し端17をも保護することができる。
【００２５】
前記実施例では請求項２に対応して、前記開口縁が上部開口９の上部開口縁13であり、折り返し縁15の外側に上端16を配置し、折り返し面部14の端17よりも離れてカバー12の下端18を配置することで、工具Ａや部品の出し入れ口である上部開口縁13を保護できる。
【００２６】
前記実施例では請求項３に対応して、第一の収納部２、第二の収納部21は、内面11の第一の摩擦係数を外面10の第二の摩擦係数よりも小さくする（μ１＜μ２）ことで、内面11は相対的に外面10より滑りやすくなり、内面11に沿って工具Ａや部品を掬い上げやすくなる。
【００２７】
前記実施例では請求項４に対応して、第一の収納部２、第二の収納部21が膨らんで工具Ａ、部品類を収納する袋状であることで、各種の工具Ａや部品をそれぞれ収納でき、さらに第一の収納部２、第二の収納部21に腰ベルトＢ用の通し部４を設けたことで、腰まわりに第一の収納部２、第二の収納部を設けて携帯することができる。
【００２８】
前記実施例では請求項５に対応して、折り返し縁15と上端16とを第一の縫着部19により固定し、前面部材７及び左右側面部材８における折り返し面部14の端17から離間した部位と下端18とを第二の縫着部20により固定したことで、カバー12の上下を確実に固定することができる。
【００２９】
しかも、前記実施例では請求項６に対応して、工具Ａや部品類をスムースに出し入れすることができる。
【実施例２】
【００３０】
図３〜図４は実施例２を示しており、前記実施例１と同一部分には同一符号を付し、その詳細な説明を省略する。実施例２の携帯用収納具１Ａにおいては、後面部材６Ａの前方に合成繊維製布からなる前面部材７Ａ及び左右側面部材８Ａを設けた収納部２Ａを設けており、この収納部２Ａは上下方向に上部開口９Ａ、下部開口31Ａを設けている。そして、上部開口９Ａに実施例１のカバー12と同様に上部カバー12Ａを設け、さらに下部開口に下部カバー32Ａを設けている。
【００３１】
下部カバー32Ａの取り付けは、前面部材７Ａと左右側面部材８Ａの下側に折り返して下部折り返し面部14Ａを形成し、下部折り返し面部14Ａの頂にあるにある下部折り返し縁15Ａの外側に、下部カバー32Ａの一方の端である下端16Ａを配置し、下部折り返し面部14Ａの外側に沿って端17Ａよりも離れてカバー32Ａの他方の端である上端18Ａを、前面部材７Ａと左右側面部材８Ａに配置したものである。そして、この下部カバー32Ａは下部折り返し面部14Ａの外側に固定されている。この固定は、貼り付けや縫着によって下部カバー32Ａを折り返し面部14Ａ側に第一の下部縫着部19Ａ、第二の下部縫着部20Ａを介して一体に設けている。
【００３２】
したがって、収納部２Ａの上部開口９Ａより工具Ａや部品を挿入してその下部を下部開口31Ａより突出させて収納する。このように、上部開口９Ａ、下部開口31Ａのいずれにおいても内面11にカバー12Ａ、下部カバー32Ａがあらわれないので、工具Ａや部品を収納部９Ａに挿入するときや引き出すときに従来技術のように内面11に引っ掛かりがなく、スムースに出し入れを行うことができる。
【産業上の利用可能性】
【００３３】
以上のように本考案にかかる携帯用収納具は、携帯電話や筆記道具、化粧品などの収納等各種の用途に適用できる。
【符号の説明】
【００３４】
２  21  ２Ａ  収納部
７  前面部材（収納部材）
８  左右側面部材（収納部材）
９  22  ９Ａ  上部開口
10  外面
11  内面
12  23  12Ａ  32Ａ  カバー
14  14Ａ  折り返し面部
15  15Ａ  折り返し縁
16  上端（一方の端）
17  17Ａ  端
18  下端（他方の端）
19  20  19Ａ  20Ａ  縫着部
31Ａ  下部開口
Ａ  工具
【図１】
0003157825.tif 000003
【図２】
0003157825.tif 000004
【図３】
0003157825.tif 000005
【図４】
0003157825.tif 000006
【図５】
0003157825.tif 000007